(57)【要約】【課題】無線タグラベル作成時における装置性能保証及び無線タグラベルの品質保証を確実に行い、信頼性を向上させる。【解決手段】無線タグ情報通信装置２は、無線タグ回路素子Ｔo及びこの無線タグ回路素子Ｔoとのアクセス履歴情報を記憶する無線タグ回路素子Ｔcを備えたカートリッジ１００，１００′を着脱可能なカートリッジホルダ部と、無線タグ回路素子Ｔoのアンテナ１５２との間で無線通信を行うアンテナ１４とを有しており、ＩＣ回路部１５１の無線タグ情報にアクセスするアクセス情報を生成し、このアクセス情報をアンテナ１４を介して非接触でアンテナ１５２に送信し無線タグ情報へのアクセスを行い、またアクセス履歴情報を生成して無線タグ回路素子Ｔcに書き込む。【選択図】  図２
2006099203.tif 000002
【特許請求の範囲】
【請求項１】
所定の情報を記憶するＩＣ回路部及びこのＩＣ回路部に接続され情報の送受信を行うタグ側アンテナを備えたユーザ用無線タグ回路素子が複数個収容され、前記ＩＣ回路部の無線タグ情報にアクセスするアクセス情報を生成するとともにそのアクセス情報を無線通信により非接触で前記タグ側アンテナに伝達し前記ＩＣ回路部の前記無線タグ情報にアクセスする無線タグ情報通信装置に着脱可能に構成された無線タグ回路素子カートリッジであって、
前記無線タグ情報通信装置と前記ユーザ用無線タグ回路素子とのアクセス履歴情報を記憶するアクセス履歴情報記憶手段を設けたことを特徴とする無線タグ回路素子カートリッジ。
【請求項２】
請求項１記載の無線タグ回路素子カートリッジにおいて、
前記アクセス履歴情報記憶手段は、前記アクセス履歴情報として、前記ＩＣ回路部の前記無線タグ情報へのアクセス成否を記憶することを特徴とする無線タグ回路素子カートリッジ。
【請求項３】
請求項１又は２記載の無線タグ回路素子カートリッジにおいて、
前記アクセス履歴情報記憶手段は、前記アクセス履歴情報を記憶するために備えられた管理用無線タグ回路素子であることを特徴とする無線タグ回路素子カートリッジ。
【請求項４】
請求項１又は２記載の無線タグ回路素子カートリッジにおいて、
前記アクセス履歴情報記憶手段は、前記アクセス履歴情報を記憶するために備えられた不揮発性記憶手段であることを特徴とする無線タグ回路素子カートリッジ。
【請求項５】
請求項１乃至４のいずれか１項記載の無線タグ回路素子カートリッジにおいて、
前記アクセス履歴情報記憶手段は、前記アクセス履歴情報として、前記アクセス時に装着された無線情報通信装置の識別情報、所要出力情報、アクセス試行回数、及びカートリッジの使用回数のうち、少なくとも１つをアクセス直後に書き込みを行って記憶保持することを特徴とする無線タグ回路素子カートリッジ。
【請求項６】
所定の情報を記憶するＩＣ回路部及びこのＩＣ回路部に接続され情報の送受信を行うタグ側アンテナを有する複数のユーザ用無線タグ回路素子と、前記ユーザ用無線タグ回路素子とのアクセス履歴情報を記憶するアクセス履歴情報記憶手段とを備えたカートリッジを、着脱可能なカートリッジホルダ部と、
前記複数のユーザ用無線タグ回路素子のうち、特定の無線タグ回路素子の前記タグ側アンテナとの間で、無線通信により送受信を行う装置側アンテナと、
前記ＩＣ回路部の無線タグ情報にアクセスするアクセス情報を生成するアクセス情報生成手段と、
このアクセス情報生成手段で生成した前記アクセス情報を、前記装置側アンテナを介して非接触で前記タグ側アンテナに送信し、前記ＩＣ回路部の前記無線タグ情報へのアクセスを行う情報送信手段と、
前記アクセス履歴情報を生成して前記アクセス履歴情報記憶手段に書き込む書き込み手段とを有することを特徴とする無線タグ情報通信装置。
【請求項７】
請求項６記載の無線タグ情報通信装置において、
前記複数のユーザ用無線タグ回路素子は、タグテープロールに巻回されたタグテープのテープ長手方向に連続的に配置されており、
前記タグテープ又はこれと貼り合わされる被印字テープのいずれか一方に所定の印字を行う印字手段を設けたことを特徴とする無線タグ情報通信装置。
【請求項８】
請求項７記載の無線タグ情報通信装置において、
前記印字手段は、前記アクセス履歴情報を表す印字を、前記タグテープ又は前記被印字テープに行うことを特徴とする無線タグ情報通信装置。
【発明の詳細な説明】
【技術分野】
【０００１】
本発明は、無線タグ回路素子の外部より無線通信を介し無線タグ情報の読み取り又は書き込みを行う無線タグ情報通信装置に用いる無線タグ回路素子カートリッジ及び無線タグ情報通信装置に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグを消耗品の管理に用いたものとして、例えば特許文献１に記載のものがある。この従来技術では、プリンタ、複写機、コピー機に用いられる記録剤格納カートリッジに無線タグを設けている。これにより、当該カートリッジをプリンタ等の本体側に装着したとき、本体側に設けたリーダライタで無線タグ回路素子より記録剤に関するプロファイル情報を読み出すことができ、また装着中においてそのプリンタ等の使用状況に応じ上記プロファイル情報を新たに書き込んだり更新したりすることができる。
【０００４】
【特許文献１】特開２００２−８６８６４号公報（段落番号００２２〜００５７、図１）
【発明の開示】
【発明が解決しようとする課題】
【０００５】
ところで、上記したように種々の利用法がある無線タグラベルであるが、ユーザが実際に使用する際には、一般的には、所定間隔でテープ長手方向に無線タグ回路素子を設けた帯状のタグテープをタグテープロールから繰り出すことで各無線タグ回路素子をテープ長手方向に沿って搬送し、この搬送される際に、各無線タグ回路素子のアンテナに対し、装置側で生成した所定の無線タグ情報を装置側アンテナを介して送信し、無線タグ回路素子のアンテナに接続されたＩＣ回路部の無線タグ情報に順次アクセスする（読み取り又は書き込む）。そして、無線タグ情報が読み取られた又は書き込まれた無線タグ回路素子はその後搬送方向下流側に搬送されて所定長さにラベル状に切断され、無線タグラベルが完成する。
【０００６】
このような無線タグラベル作成手順のうち、ＩＣ回路部の無線タグ情報へのアクセス（読み取り又は書き込み）は上述のように非接触の無線通信を介し行うものであるため、万が一、ユーザの誤操作、電源電圧不足（電池切れ）、周囲電波環境による悪影響等によってアクセス不適やアクセス不良（誤読みとり又は誤書き込み）が発生する可能性がないとはいえない。装置の製造メーカ又はサービス会社等は、このような場合に備え、装置の性能保証及びこれにより作成した無線タグの品質保証に万全を期すことが求められる。
【０００７】
上記従来技術は、装置本体に取り付ける消耗品の状態をモニターするために無線タグを用いたシステムであって、無線タグラベル作成装置のような物品の作成装置における作成性能保証や無線タグラベルの品質保証に配慮されたものではない。
【０００８】
本発明の目的は、無線タグラベル作成時における装置性能保証及び無線タグラベルの品質保証を確実に行い、信頼性を向上できる無線タグ回路素子カートリッジ及び無線タグ情報通信装置を提供することにある。
【課題を解決するための手段】
【０００９】
上記目的を達成するために、第１の発明は、所定の情報を記憶するＩＣ回路部及びこのＩＣ回路部に接続され情報の送受信を行うタグ側アンテナを備えたユーザ用無線タグ回路素子が複数個収容され、前記ＩＣ回路部の無線タグ情報にアクセスするアクセス情報を生成するとともにそのアクセス情報を無線通信により非接触で前記タグ側アンテナに伝達し前記ＩＣ回路部の前記無線タグ情報にアクセスする無線タグ情報通信装置に着脱可能に構成された無線タグ回路素子カートリッジであって、前記無線タグ情報通信装置と前記ユーザ用無線タグ回路素子とのアクセス履歴情報を記憶するアクセス履歴情報記憶手段を設けたことを特徴とする。
【００１０】
カートリッジを無線タグ情報通信装置に取り付けると、無線タグ情報通信装置で生成されたアクセス情報が無線通信により非接触でユーザ用無線タグ回路素子のタグ側アンテナに伝達されて、ＩＣ回路部の無線タグ情報へのアクセス（読み取り又は書き込み）が行われる。本願第１発明においては、カートリッジがアクセス履歴情報記憶手段を備え、無線タグ情報通信装置とこのユーザ用無線タグ回路素子とのアクセス履歴情報を記憶する。これにより、上記アクセス時のアクセス適否履歴や成否履歴等をカートリッジに残すことができるので、万が一、ユーザの誤操作、電源電圧不足（電池切れ）、周囲電波環境による悪影響等によってアクセス不適やアクセス不良（誤読みとり又は誤書き込み）が発生したとしても、メーカ又はサービス会社等の側でアクセス履歴情報記憶手段の記憶内容をカートリッジから後に取得することができるので、上記アクセス不適・不良等の発生の事実を検知、確認し、何らかの対策をとることができる。この結果、装置の性能保証及び無線タグラベルの品質保証に万全を期し、信頼性を向上させることができる。
【００１１】
第２の発明は、上記第１発明において、前記アクセス履歴情報記憶手段は、前記アクセス履歴情報として、前記ＩＣ回路部の前記無線タグ情報へのアクセス成否を記憶することを特徴とする。
【００１２】
アクセス時のアクセス成否履歴を残すことで、メーカ又はサービス会社等の側でその成否履歴を後に取得し、性能保証及び品質保証に万全を期すことができる。
【００１３】
第３の発明は、上記第１又は第２発明において、前記アクセス履歴情報記憶手段は、前記アクセス履歴情報を記憶するために備えられた管理用無線タグ回路素子であることを特徴とする。
【００１４】
カートリッジに設けた無線タグ回路素子にアクセス履歴情報を残すことで、メーカ又はサービス会社等の側でその情報を後に取得し、性能保証及び品質保証に万全を期すことができる。
【００１５】
第４の発明は、上記第１又は第２発明において、前記アクセス履歴情報記憶手段は、前記アクセス履歴情報を記憶するために備えられた不揮発性記憶手段であることを特徴とする。
【００１６】
カートリッジに設けた不揮発性記憶手段にアクセス履歴情報を残すことで、メーカ又はサービス会社等の側でその情報を後に取得し、性能保証及び品質保証に万全を期すことができる。
【００１７】
第５の発明は、上記第１乃至第４発明のいずれか１つにおいて、前記アクセス履歴情報記憶手段は、前記アクセス履歴情報として、前記アクセス時に装着された無線情報通信装置の識別情報、所要出力情報、アクセス試行回数、及びカートリッジの使用回数のうち、少なくとも１つをアクセス直後に書き込みを行って記憶保持することを特徴とする。
【００１８】
アクセス履歴情報記憶手段に、アクセス時の装置側識別情報、所要出力、アクセスリトライ回数、カートリッジリユース回数等を残すことで、メーカ又はサービス会社等の側でそれら各種情報を後に取得し、装置の性能保証及び無線タグラベルの品質保証に万全を期すことができる。
【００１９】
上記目的を達成するために、第６の発明は、所定の情報を記憶するＩＣ回路部及びこのＩＣ回路部に接続され情報の送受信を行うタグ側アンテナを有する複数のユーザ用無線タグ回路素子と、前記ユーザ用無線タグ回路素子とのアクセス履歴情報を記憶するアクセス履歴情報記憶手段とを備えたカートリッジを、着脱可能なカートリッジホルダ部と、前記複数のユーザ用無線タグ回路素子のうち、特定の無線タグ回路素子の前記タグ側アンテナとの間で、無線通信により送受信を行う装置側アンテナと、前記ＩＣ回路部の無線タグ情報にアクセスするアクセス情報を生成するアクセス情報生成手段と、このアクセス情報生成手段で生成した前記アクセス情報を、前記装置側アンテナを介して非接触で前記タグ側アンテナに送信し、前記ＩＣ回路部の前記無線タグ情報へのアクセスを行う情報送信手段と、前記アクセス履歴情報を生成して前記アクセス履歴情報記憶手段に書き込む書き込み手段とを有することを特徴とする。
【００２０】
カートリッジホルダに無線タグ情報通信装置に取り付けると、アクセス情報生成手段で生成されたアクセス情報が情報送信手段により装置側アンテナを介し非接触でユーザ用無線タグ回路素子のタグ側アンテナに伝達されて、ＩＣ回路部の無線タグ情報へのアクセス（読み取り又は書き込み）が行われる。本願第６発明においては、書き込み手段でユーザ用無線タグ回路素子のアクセス履歴情報を生成し、アクセス履歴情報記憶手段に書き込んで記憶させる。これにより、当該アクセス時のアクセス適否履歴や成否履歴等をカートリッジのアクセス履歴情報記憶手段に残すことができるので、万が一、ユーザの誤操作（＝アトランダムにアクセス不良発生）、電池切れ等による電源電圧不足（＝ある時期から継続してアクセス不良発生）、周囲電波環境による悪影響（＝時期に関係なく設置場所によりかなり頻繁にアクセス不良発生）等によってアクセス不適やアクセス不良（誤読みとり又は誤書き込み）が発生したとしても、メーカ又はサービス会社等の側でカートリッジの回収時等に、アクセス履歴情報記憶手段の記憶内容を取得することで、上記アクセス不適・不良等の発生の事実を検知、確認し、何らかの対策をとることができる。この結果、装置の性能保証及び無線タグラベルの品質保証に万全を期し、信頼性を向上させることができる。
【００２１】
第７の発明は、上記第６発明において、前記複数のユーザ用無線タグ回路素子は、タグテープロールに巻回されたタグテープのテープ長手方向に連続的に配置されており、前記タグテープ又はこれと貼り合わされる被印字テープのいずれか一方に所定の印字を行う印字手段を設けたことを特徴とする。
【００２２】
これにより、タグテープのユーザ用無線タグ回路素子の無線タグ情報にアクセスした後、タグテープ又は被印字テープに印字を行って印字済みタグラベルテープを作成し、これを用いて各無線タグ回路素子に対応した所定の長さの印字付きタグラベルを作成することができる。
【００２３】
第８の発明は、上記第７発明において、前記印字手段は、前記アクセス履歴情報を表す印字を、前記タグテープ又は前記被印字テープに行うことを特徴とする。
【００２４】
これにより、アクセス履歴情報をアクセス履歴情報記憶手段に残すのみならず、タグテープ又は被印字テープ上に視覚的に明らかな形（バーコードや2次元バーコードも含む）で記録することができる。
【発明の効果】
【００２５】
本発明によれば、無線タグラベル作成時における装置性能保証及び無線タグラベルの品質保証を確実に行い、信頼性を向上させることができる。
【発明を実施するための最良の形態】
【００２６】
以下、本発明の一実施の形態を図面を参照しつつ説明する。
【００２７】
図１は、本実施形態のタグラベル作成装置が適用される無線タグ生成システム（無線タグ情報通信システム）を表すシステム構成図である。この実施形態は、本発明を読み取りのみ可能な(書き込みは不可の)無線タグの生成システムに適用した場合の実施形態である。
【００２８】
図１に示すこの無線タグ生成システム１において、本実施形態による無線タグ情報通信装置２は、有線あるいは無線による通信回線３を介してルートサーバ４、端末５、汎用コンピュータ６、及び複数の情報サーバ７に接続されている。
【００２９】
図２は、上記無線タグ情報通信装置２の詳細構造を表す概念的構成図である。
【００３０】
図２において、無線タグ情報通信装置２の装置本体８には、凹所としてのカートリッジホルダ部（図示せず）が設けられ、このホルダ部に、カートリッジ（無線タグ回路素子カートリッジ）１００が着脱可能に取り付けられている。
【００３１】
装置本体８は、カートリッジ１００を嵌合させる上記カートリッジホルダ部を備えるとともに外郭を構成する筐体９と、カバーフィルム１０３に所定の印字（印刷）を行う印字手段としての印字ヘッド（この例ではサーマルヘッド）１０と、カバーフィルム１０３への印字が終了したインクリボン１０５を駆動するリボン巻取りローラ駆動軸１１と、カバーフィルム（被印字テープ）１０３と基材テープ１０１とを貼り合わせつつ印字済タグラベル用テープ１１０としてカートリッジ１００から繰り出すための圧着ローラ駆動軸（駆動軸）１２と、印字済タグラベル用テープ１１０に備えられる無線タグ回路素子Ｔo（ユーザ用無線タグ回路素子、詳細は後述）との間でＵＨＦ帯等の高周波を用いて無線通信により信号の送受を行うアンテナ１４と、カートリッジ１００に備えられる無線タグ回路素子Ｔc（管理用無線タグ回路素子）との間で上記同様に無線通信により信号の送受を行うアンテナ１９と、上記印字済タグラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoをアンテナ１４に対向する所定のアクセスエリアに設定保持するとともに、切断後のテープ１１０（＝無線タグラベルＴ）を案内するための一対の搬送ガイド１３と、その案内された無線タグラベルＴを搬出口（排出口）１６へと搬送し送出する送出ローラ１７と、搬出口１６における無線タグラベルＴの有無を検出するセンサ１８とを有する。
【００３２】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、無線タグ情報通信装置２全体の動作を制御するための制御回路３０とを有する。
【００３３】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００３４】
図３は、カートリッジ１００の詳細構造を説明するための説明図である。
【００３５】
この図３において、カートリッジ１００は、筐体１００Ａと、この筐体１００Ａ内に配置され帯状の上記基材テープ１０１（タグテープ）が巻回された第１ロール１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープ１１０としつつ矢印Ａで示す方向にテープ送りをする（＝テープ送りローラとしても機能する）圧着ローラ１０７と、上記筐体１００Ａにおける前記装置本体８側のアンテナ１９とほぼ向かい合う位置に設けられた上記無線タグ回路素子Ｔcとを有する。
【００３６】
第１ロール１０２は、リール部材１０２ａの周りに、長手方向に複数の無線タグ回路素子Ｔoが所定の等間隔で順次形成された上記基材テープ１０１を巻回している。
【００３７】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００３８】
ベースフィルム１０１ｂの裏側（図３中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている（上記無線タグ回路素子Ｔcも同様）。
【００３９】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００４０】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００４１】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００４２】
無線タグ回路素子ＴCには、基材テープ１０１に備えられる複数の無線タグ回路素子Ｔoのそれぞれについて各無線タグ回路素子ＴoのＩＣ回路部１５１の無線タグ情報に対しアンテナ１４よりアクセス（ここでは読み取り、後述の変形例では書き込み）されたとき、対応するアクセス履歴情報が書き込まれ記憶されるようになっている（詳細は後述）。
【００４３】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００４４】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図６参照）が印刷される。そして、上記基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００４５】
図４は、上記高周波回路２１の詳細機能を表す機能ブロック図である。この図４において、高周波回路２１は、制御回路３０により切り替えられるアンテナスイッチ（切替）回路３４１と、このアンテナスイッチ回路３４１を経てアンテナ１４，１９を介し無線タグ回路素子Ｔo，Ｔcに対して信号を送信する送信部３２と、アンテナ１４，１９により受信された無線タグ回路素子Ｔo，Ｔcからの反射波を入力する受信部３３と、送受分離器３４とから構成される。
【００４６】
アンテナスイッチ回路３４１は、周知の高周波用ＦＥＴやダイオードを用いたスイッチ回路であり、制御回路３０からの選択信号によりアンテナ１４，１９のいずれかを送受分離器３４に接続するものである。
【００４７】
送信部３２は、無線タグ回路素子Ｔo，ＴcのＩＣ回路部１５１の無線タグ情報にアクセスする(この例では読み取り、後述の変形例では書き込みも含む)ための搬送波を発生させる水晶振動子３５、ＰＬＬ（Phase
Locked Loop）３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナスイッチ回路３４１を経てアンテナ１４，１９のいずれかに伝達されて無線タグ回路素子Ｔo，ＴcのＩＣ回路部１５１に供給される。なお、無線タグ情報は上記のように変調した信号に限られず、単なる搬送波のみの場合もある。
【００４８】
受信部３３は、アンテナ１４，１９により受信された無線タグ回路素子Ｔo，Ｔcからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４，１９により受信された無線タグ回路素子Ｔo，Ｔcからの反射波と上記発生された後に位相が９０°遅れた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００４９】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報通信装置２では、Ｉ−Ｑ直交復調によって無線タグ回路素子Ｔoからの反射波の復調が行われる。
【００５０】
なお、上記では特に説明しなかったが、本実施形態においては、アンテナスイッチ回路３４１がアンテナ１９側に切り替えられたときの通信（アンテナ１９と無線タグ回路素子Ｔcとの通信）と、アンテナスイッチ回路３４１がアンテナ１４側に切り替えられたときの通信（アンテナ１４と無線タグ回路素子Ｔoとの通信）とが相互に混信する（アクセス対象でないタグが反応する）可能性を低減するために、アンテナスイッチ回路３４１の切り替え位置に応じて通信プロトコルやアクセス周波数を（例えば１３ＭＨｚと９５０ＭＨｚといったように）変更するようにしてもよい。また、同様の趣旨で、カートリッジ１００の無線タグ回路素子Ｔcとアンテナ１９との距離はなるべく近くし、確実にアクセス履歴情報が書き込めるようにすることが望ましい。
【００５１】
図５は、上記無線タグ回路素子Ｔoの機能的構成を表す機能ブロック図である。この図５において、無線タグ回路素子Ｔoは、無線タグ情報通信装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００５２】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００５３】
変復調部１５８は、アンテナ１５２により受信された上記無線タグ情報通信装置２のアンテナ１４からの通信信号の復調を行うと共に、上記制御部１５５からの応答信号に基づき、アンテナ１５２より受信された搬送波を変調反射する。
【００５４】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００５５】
なお、詳細な図示を省略するが、カートリッジ１００に設けられた無線タグ回路素子Ｔcについても、上記無線タグ回路素子Ｔoと同様の構造であって、ＩＣ回路部１５１（図示せず）及びアンテナ１５２（図示せず）等が備えられている。
【００５６】
図６（ａ）及び図６（ｂ）は、上述のようにして無線タグ回路素子Ｔoの情報書き込み及び印字済タグラベル用テープ１１０の切断が完了し形成された無線タグラベルＴの外観の一例を表す図であり、図６（ａ）は上面図、図６（ｂ）は下面図である。また図７は、図６中VII−VII′断面による横断面図である。
【００５７】
これら図６（ａ）、図６（ｂ）、及び図７において、無線タグラベルＴは、図３に示した４層構造にカバーフィルム１０３が加わった５層構造となっており、カバーフィルム１０３側（図７中上側）よりその反対側（図７中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００５８】
図８は、上述したような無線タグ情報通信装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００５９】
図８において、この例では、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作により無線タグ情報通信装置２が作動されて、カバーフィルム１０３に上記印字文字Ｒが印刷されると共に、後述するようにＩＣ回路部１５１に予め記憶された物品情報等の無線タグ情報が読みとられる（又はＩＣ回路部１５１に上記書き込みＩＤ及び物品情報等の情報が書き込まれる）。
【００６０】
なお、上記においては、印刷動作に伴い搬送ガイド１３を移動中の印字済タグラベル用テープ１１０に対してアクセスエリア内に保持してアクセス（読み取り又は書き込み）するようにした例を示したが、これに限られず、その印字済タグラベル用テープ１１０を所定位置で停止させて搬送ガイド１３にて保持した状態で上記アクセスを行うようにしてもよい。
【００６１】
また、上記のような読み取り又は書き込みの際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００６２】
図９は、上述した無線タグラベルＴの作成、すなわち、カバーフィルム１０３を搬送し印字ヘッド１０で所定の印字を行いつつ基材テープ１０１を貼り合わせて印字済タグラベル用テープ１１０とした後印字済タグラベル用テープ１１０を無線タグ回路素子Ｔoごとに切断し無線タグラベルＴとする際に、制御回路３０によって実行される制御手順を表すフローチャートである。
【００６３】
この図９において、無線タグ情報通信装置２の読み取り操作が行われるとこのフローが開始される。まずステップＳ１０５において、上記端末５又は汎用コンピュータ６を介して入力操作された、印字ヘッド１０により無線タグラベルＴへ印字すべき印字情報が通信回線３及び入出力インターフェイス３１を介し読み込まれる。
【００６４】
その後、ステップＳ１１０において、無線タグ回路素子Ｔｏからの応答がなく、リトライを行った回数（アクセス試行回数）をカウントする変数Ｎ、及び通信良好か不良かを表すフラグＦを０に初期化する。
【００６５】
そして、ステップＳ１１５において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給され、第２ロール１０４からはカバーフィルム１０３が繰り出される。またこのとき、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０５で読み込んだ文字、記号、バーコード等の印字Ｒを印刷させる。さらに送出ローラ駆動回路２９を介して送出ローラ用モータ２８に制御信号を出力し、送出ローラ１７を回転駆動させる。以上の結果、前述したように基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【００６６】
その後、ステップＳ１２０において、印字済タグラベル用テープ１１０が所定値Ｃ（例えば、対応する印字が施されたカバーフィルム１０３が貼り合わされた無線タグ回路素子Ｔoが搬送ガイド１３に到達するだけの搬送距離）だけ搬送されたかどうかを判断する。このときの搬送距離判定は、例えば、上記基材テープ１０１に設けた適宜の識別用マークを別途設けた公知のテープセンサで検出することにより行えば足りる。判定が満たされたら、ステップＳ２００に移る。
【００６７】
ステップＳ２００では、タグ情報読み取り処理を行い、読み込むための問いかけ信号を無線タグ回路素子Ｔoに送信し、無線タグ情報を含む返答信号を受信して読み込む（詳細は後述の図１０参照）。このステップＳ２００が終了したらステップＳ１２５に移る。
【００６８】
ステップＳ１２５では、フラグＦ＝０であるかどうかが判定される。読み取り処理が正常に完了していればＦ＝０のまま（後述の図１０に示すフローのステップＳ２８０参照）であるので、この判定が満たされ、ステップＳ１３０に移る。
【００６９】
ステップＳ１３０では、上記ステップＳ２００で無線タグ回路素子Ｔoより読み取られた情報と、これに対応して既に印字ヘッド１０により印字された印字情報との組み合わせを、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【００７０】
その後、ステップＳ１３５で、カバーフィルム１０３のうちこの時点で処理対象としている無線タグ回路素子Ｔoに対応する領域への印字がすべて完了しているかどうかを確認した後、ステップＳ１４０へ移る。
【００７１】
なお、先に述べたステップＳ１２５において、何らかの理由で読み取り処理が正常に完了していない場合はＦ＝１とされている（後述の図１０に示すフローのステップＳ２８０参照）のでＳ１２５の判定が満たされず、ステップＳ１３７に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、ステップＳ１４０へ移る。
【００７２】
ステップＳ１４０では、印字済タグラベル用テープ１１０がさらに所定量（例えば、対象とする無線タグ回路素子Ｔo及びこれに対応するカバーフィルム１０３の印字領域のすべてがカッタ１５を所定の長さ(余白量)分越えるだけの搬送距離）だけ搬送されたかどうかを判断する。このときの搬送距離判定も、前述のステップＳ１２０と同様、例えばマーキングをテープセンサで検出することにより行えば足りる。判定が満たされたら、ステップＳ１４５に移る。
【００７３】
ステップＳ１４５では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【００７４】
その後、ステップＳ１５０でソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoの無線タグ情報が読み取られかつこれに対応する所定の印字が行われたラベル状の無線タグラベルＴが生成される。
【００７５】
その後、ステップＳ１５５に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１５０でラベル状に生成された無線タグラベルＴが搬出口１６へ向かって搬送され、さらに搬出口１６から装置２外へと排出される。
【００７６】
図１０は、上述したステップＳ２００の詳細手順を表すフローチャートである。
【００７７】
図１０において、まず、ステップＳ２１０において、印字済みタグラベル用テープ１１０の印刷後、情報読み取り対象とする無線タグ回路素子Ｔoがアンテナ１４近傍に搬送され、対象となるタグが設定される。
【００７８】
その後、ステップＳ２２０において、アンテナスイッチ回路３４１に選択信号を出力してアンテナ１４が送受分離器３４に接続されるようにアンテナスイッチ回路３４１を切替えた後、所定の通信パラメータ等に沿う形で無線タグ回路素子Ｔoに記憶された情報を読み出す「Scroll All ID」コマンドを信号処理回路２２に出力する。これに基づき信号処理回路２２でアクセス情報としての「Scroll
All ID」信号が生成されて高周波回路２１を介してアクセス対象の無線タグ回路素子Ｔoに送信され、返信を促す。
【００７９】
次に、ステップＳ２３０において、上記「Scroll All ID」信号に対応してアクセス対象の無線タグ回路素子Ｔoから送信されたリプライ信号（物品情報やタグ識別情報ＩＤ等の無線タグ情報）をアンテナ１４を介して受信し、高周波回路２１及び信号処理回路２２を介し取り込む。
【００８０】
次に、ステップＳ２４０において、上記ステップＳ２３０で受信したリプライ信号に誤りがないか否かを公知の誤り検出符号（ＣＲＣ符号；Cyclic Redundancy Check等）を用いて判定する。
【００８１】
判定が満たされない場合はステップＳ２５０に移ってＮに１を加え、さらにステップＳ２６０においてＮが予め定められた所定のリトライ回数（この例では５回。それ以外の回数に適宜設定してもよい）となったかどうかが判定される。Ｎ≦４の場合は判定が満たされずステップＳ２２０に戻り同様の手順を繰り返す。Ｎ＝５の場合はステップＳ２７０に移り、エラー表示信号を入出力インターフェイス３１及び通信回線３を介し上記端末５及び汎用コンピュータ６へ出力し、対応する書き込み失敗（エラー）表示を行わせる。
に読み取り失敗（エラー）表示を行わせ、ステップＳ２８０で前述のフラグＦ＝１にする。このようにして読み取りが不調でも所定回数（この例では５回）までは再試行が行われる。ステップＳ２８０が終了すると、ステップＳ２９０に移る。
【００８２】
ステップＳ２４０の判定が満たされた場合、読み取り対象とする無線タグ回路素子Ｔoからの無線タグ情報の読み取りが完了し、直接ステップＳ２９０に移る。
【００８３】
ステップＳ２９０では、Ｎの値（何回目のリトライでアクセスに成功したかのリトライ回数）を適宜の記憶手段（例えば制御回路３０内のＲＡＭ等）にいったん記憶する。
【００８４】
その後、ステップＳ２９５で、アンテナスイッチ回路３４１に選択信号を出力してアンテナ１９が送受分離器３４に接続されるようにアンテナスイッチ回路３４１を切替えた後、上記記憶手段に記憶したリトライ回数Ｎを読み出し、このリトライ回数Ｎと、当該無線タグ回路素子の識別情報（タグＩＤ）と、無線タグ情報通信装置２の識別情報（製品番号あるいは型番等）とを、アクセス履歴情報としてアンテナ１９を介し無線タグＴcへ送信し、その無線タグ回路素子ＴcのＩＣ回路部１５１に書き込む。すなわち、制御回路３０が「Program」コマンドを信号処理回路２２に出力し、信号処理回路２２で上記アクセス履歴情報としての「Program」信号が生成されて高周波回路２１を介し無線タグ回路素子Ｔcに送信され、そのメモリ部１５７に情報が書き込まれる。
【００８５】
以上のルーチンにより、カートリッジ１００内のアクセス対象の無線タグ回路素子Ｔoに対し、ＩＣ回路部１５１の無線タグ情報にアクセスしこれを読み出すことができ、またそのときのアクセス履歴を無線タグ回路素子Ｔcに書き込み記憶保持させることができる。
【００８６】
図１１は、上記のようにして無線タグ回路素子Ｔcに書き込まれるアクセス履歴情報の一例を表す図である。
【００８７】
図１１において、「タグＩＤ」の欄には、各無線タグ回路素子Ｔoの識別情報がこの例では「タグ１」,「タグ２」,…のように記録される。
【００８８】
「読み込みリトライ回数」及び「読み込み成否」の欄は、各無線タグ回路素子Ｔoへの上記アクセス（上記の例では読み込み）時に最終的にアクセスが成功したかどうか（成功ならＯＫ、失敗ならＮＧ）、及び成功するまでの上記リトライ回数Ｎ（すなわちＮ＝１〜５のいずれか）の値が記録される。なお、図１０を用いて前述したように、Ｎ＝５回でもアクセス不可能であればエラーとなるためＮ＝６以上は（この例では）ありえない。図中「−」で表される場合がこれに対応しており、この場合はアクセス不可として「ＮＧ」となっている。
【００８９】
「装置側識別情報」の欄には、各無線タグ回路素子Ｔoに対してアクセスを行った無線タグ通信装置２の識別情報が、「ＩＤ−ａ」，「ＩＤ−ｂ」，「ＩＤ−ｃ」，…のように記録される。この例では、カートリッジ１００に収納される無線タグ回路素子Ｔoのうち識別情報「タグ１」「タグ７」で表される無線タグ回路素子Ｔoについては、カートリッジ１００が識別情報「ＩＤ−ａ」で表される無線タグ情報通信装置２に装着されたときにアクセスが行われている。また、識別情報「タグ２」〜「タグ６」，「タグ１０」等で表される無線タグ回路素子Ｔoについては、カートリッジ１００が識別情報「ＩＤ−ｂ」で表される無線タグ情報通信装置２に装着されたときにアクセスが行われている。さらに識別情報「タグ８」，「タグ９」，「タグ１１」等で表される無線タグ回路素子Ｔoについては、カートリッジ１００が識別情報「ＩＤ−ｃ」で表される無線タグ情報通信装置２に装着されたときにアクセスが行われている。
【００９０】
以上において、アンテナ１４は、各請求項記載の、複数のユーザ用無線タグ回路素子のうち、特定の無線タグ回路素子のタグ側アンテナとの間で、無線通信により送受信を行う装置側アンテナを構成する。
【００９１】
また、信号処理回路２２は、ＩＣ回路部１５１へアクセスするためのアクセス情報(「Scroll All ID」信号、「Program」信号、後述の「Erase」信号、「Verify」信号等)を生成するアクセス情報生成手段を構成する。また、高周波回路２１の送信部３２が、アクセス情報生成手段で生成したアクセス情報を、装置側アンテナを介して非接触でタグ側アンテナに送信し、ＩＣ回路部の無線タグ情報へのアクセスを行う情報送信手段を構成し、無線タグ回路素子Ｔcが、無線タグ情報通信装置とユーザ用無線タグ回路素子とのアクセス履歴情報を記憶するアクセス履歴情報記憶手段を構成する。
【００９２】
また、上記信号処理回路２２、高周波回路２１の送信部３２、及びアンテナ１９は、アクセス履歴情報を生成してアクセス履歴情報記憶手段に書き込む書き込み手段をも構成する。
【００９３】
以上説明したように、本実施形態の無線タグ情報通信装置２においては、カートリッジ１００が無線タグ情報通信装置２のカートリッジホルダに取り付けられ、無線タグ回路素子ＴoのＩＣ回路部１５１の無線タグ情報の読み取りが行われる。そして、その読み取り時のアクセス履歴情報が、カートリッジ１００に設けた無線タグ回路素子Ｔcに記憶される。これにより、各無線タグ回路素子Ｔoへのアクセス時のアクセス履歴を残すことができる。
【００９４】
メーカ又はサービス会社等の側では、上記無線タグ回路素子Ｔcの記憶内容を取得することで、万が一、アクセス不適やアクセス不良（誤読みとり又は誤書き込み）が発生した場合にも、その発生の事実を検知、確認し、何らかの対策をとることができる。
【００９５】
例えば、アトランダムにアクセス不良が発生していれば、ユーザの誤操作が原因と推定することができるので、当該ユーザに（及び他のユーザを含め）対し文書やメールにてその旨のアドバイスを行ったり、あるいは今後生産する無線タグ情報装置２について当初よりその旨の誤操作を回避するような注意書き等を添付する、誤操作しにくいように操作手段の形状・デザイン等を改める等の対策をとることができる。
【００９６】
また例えば、ある無線タグ情報装置２についてある時期からリトライ回数が増大する傾向となり、その後継続してアクセス不良が発生すれば、当該装置２の電源電圧不足（電池切れ）等と推定されるので、対応するユーザに（及び他のユーザを含め）対し文書やメールにてその旨のアドバイスを行ったり、あるいは電池寿命がどれくらいで終了するかの目安、あるいは電池切れを回避するような注意書き等を添付する、さらには今後生産する無線タグ情報装置２について電池切れがわかりやすいように別途の警告表示灯等を追加する、電池寿命自体を伸ばすような省エネ設計とする等の対策をとることができる。
【００９７】
また例えば、特定の無線タグ情報装置２について時期に関係なくかなり頻繁にアクセス不良が発生すれば、当該装置２の設置場所が周囲電波環境による悪影響が生じていると推定されるので、対応するユーザに（及び他のユーザを含め）対し文書やメールにてその旨のアドバイスを行ったり、あるいは電波を発する他の器具の近くへの配置を回避するような注意書き等を添付する、さらには今後生産する無線タグ情報装置２について周囲電波に影響を受けにくいような設計とする（遮蔽手段を強化する）等の対策をとることができる。
【００９８】
以上のような対策をとることで、無線タグ情報通信装置２の性能保証及びこれにより生産される無線タグラベルＴの品質保証に万全を期し、信頼性を向上させることができる。
【００９９】
また、本実施形態の無線タグ情報通信装置２では、アンテナスイッチ（切替）回路３４１を用いてアンテナ１４とアンテナ９との接続を切り替えることで、高周波回路２１を共用としていることにより、装置構成を簡略化・小型化できる効果もある。
【０１００】
なお、本発明は、上記実施形態に限られるものではなくその趣旨と技術思想の範囲を逸脱しない範囲でさらに種々の変形が可能である。以下、そのような変形例を説明する。
【０１０１】
（１）無線タグ回路素子に情報書き込みを行う場合
上記実施形態においては、読み取りのみ可能な(書き込みは不可の)無線タグの生成システムに本発明を適用した場合を例にとって説明したが、これに限られず、無線タグ回路素子ＴoのＩＣ回路部１５１に無線タグ情報の書き込みを行う無線タグの生成システムに本発明を適用してもよい。
【０１０２】
図１２は、この変形例における制御回路３０で実行する無線タグラベルの作成手順（無線タグ情報の書き込み手順）を表すフローチャートであり、上記実施形態の図９に相当する図である。
【０１０３】
図１２では、図９と同等の手順には同一の符号を付している。図１２において、無線タグ情報通信装置２の書き込み操作が行われるとこのフローが開始され、ステップＳ１０５は図９と同様であり、この手順が終了した後はステップＳ１１０Ａに移り、前述の変数Ｎ及びフラグＦに加え、さらに変数Ｍ（詳細は後述）を０に初期化する。
【０１０４】
その後、図９と同様のステップＳ１１５，Ｓ１２０を経て、ステップＳ２００Ａに移る。ステップＳ２００Ａでは、タグ情報書き込み処理を行い、書き込むためのメモリ初期化（消去）を行った後、無線タグ情報を無線タグ回路素子Ｔoに送信して書き込む（詳細は後述の図１３参照）。このステップＳ２００Ａが終了したら図９と同様、ステップＳ１２５に移る。
【０１０５】
ステップＳ１２５では、図９と同様にフラグＦ＝０であるかどうかが判定され、この判定が満たされたら、ステップＳ１３０Ａに移る。
【０１０６】
ステップＳ１３０Ａでは、上記ステップＳ２００Ａで無線タグ回路素子Ｔoに書き込まれた情報と、これに対応して既に印字ヘッド１０により印字された印字情報との組み合わせが、入出力インターフェイス３１及び通信回線３を介し端末５又は汎用コンピュータ６を介して出力され、図９のステップＳ１３０と同様に例えばルートサーバ４に記憶される。なお、この記憶データは必要に応じて端末５又は汎用コンピュータ６より参照可能に格納保持される。
【０１０７】
以降の手順は図９と内容は実質同様であるので、説明を省略する。
【０１０８】
図１３は、上述のステップＳ２００Ａの詳細手順を表すフローチャートである。
【０１０９】
この図１３において、まず、ステップＳ３１０において、公知の適宜の手法で識別番号ＩＤを設定し、さらに情報書き込み対象とする無線タグ回路素子Ｔoがアンテナ１４近傍に搬送される。
【０１１０】
その後、ステップＳ３２０において、アンテナスイッチ回路３４１に選択信号を出力してアンテナ１４が送受分離器３４に接続されるようにアンテナスイッチ回路３４１を切替えた後、無線タグ回路素子Ｔoのメモリ部１５７に記憶された情報を初期化する「Erase」コマンドを信号処理回路２２に出力する。これに基づき信号処理回路２２でアクセス情報としての「Erase」信号が生成されて高周波回路２１を介して書き込み対象の無線タグ回路素子Ｔoに送信され、そのメモリ部１５７を初期化する。
【０１１１】
次に、ステップＳ３３０において、メモリ部１５７の内容を確認する「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ３４０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１２】
次に、ステップＳ３５０において、リプライ信号に基づき、当該無線タグ回路素子Ｔoのメモリ部１５７内の情報を確認し、メモリ部１５７が正常に初期化されたか否かを判定する。
【０１１３】
判定が満たされない場合はステップＳ３６０に移ってＭに１を加え、さらにステップＳ３７０においてＭが予め定められた所定のリトライ回数（この例では５回。それ以外の回数に適宜設定してもよい）となったかどうかが判定される。Ｍ≦４の場合は判定が満たされずステップＳ３２０に戻り同様の手順を繰り返す。Ｍ＝５の場合はステップＳ３８０に移り、エラー表示信号を入出力インターフェイス３１及び通信回線３を介し上記端末５又は汎用コンピュータ６へ出力し、対応する書き込み失敗（エラー）表示を行わせる。このようにして初期化が不調でも５回までは再試行が行われる。ステップＳ３８０が終了すると、ステップＳ３８５に移る。ステップＳ３８５では、前述のフラグＦ＝１にし、ステップＳ４６０に移る。
【０１１４】
一方、ステップＳ３５０の判定が満たされた場合、ステップＳ３９０に移り、所望のデータをメモリ部１５７に書き込む「Program」コマンドを信号処理回路２２に出力する。これに基づき信号処理回路２２で本来書き込みたいＩＤ情報を含むアクセス情報としての「Program」信号が生成されて高周波回路２１を介して情報書き込み対象の無線タグ回路素子Ｔoに送信され、そのメモリ部１５７に情報が書き込まれる。
【０１１５】
その後、ステップＳ４００において、「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ４１０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１６】
次に、ステップＳ４２０において、リプライ信号に基づき、当該無線タグ回路素子Ｔoのメモリ部１５７内に記憶された情報を確認し、前述の送信した所定の情報がメモリ部１５７に正常に記憶されたか否かを判定する。
【０１１７】
判定が満たされない場合はステップＳ４３０に移ってＮに１を加え、さらにステップＳ４４０においてＮが予め定められた所定のリトライ回数（この例では５回。それ以外の回数に適宜設定してもよい）となったかどうかが判定される。Ｎ≦４の場合は判定が満たされずステップＳ３９０に戻り同様の手順を繰り返す。Ｎ＝５の場合は前述したステップＳ３８０に移り、同様に上記端末５又は汎用コンピュータ６に対応する書き込み失敗（エラー）表示を行わせ、ステップＳ３８５で前述のフラグＦ＝１にし、ステップＳ４６０に移る。このようにして情報書き込みが不調でも５回までは再試行が行われる。
【０１１８】
一方、ステップＳ４２０の判定が満たされた場合、ステップＳ４５０に移り、「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、前述のようにして無線タグ回路素子Ｔoが排出される。ステップＳ４５０が終了したら、ステップＳ４６０へ移る。
【０１１９】
ステップＳ４６０では、Ｎ，Ｍの値（何回目のリトライで初期化又は書き込みに成功したかのリトライ回数）を適宜の記憶手段（例えば制御回路３０内のＲＡＭ等）にいったん記憶する。
【０１２０】
その後、ステップＳ４７０で、アンテナスイッチ回路３４１に選択信号を出力してアンテナ１９が送受分離器３４に接続されるようにアンテナスイッチ回路３４１を切替えた後、上記記憶手段に記憶したリトライ回数Ｎ，Ｍを読み出し、このリトライ回数Ｎ，Ｍと、当該無線タグ回路素子の識別情報（タグＩＤ）と、無線タグ情報通信装置２の識別情報（製品番号あるいは型番等）とを、アクセス履歴情報としてアンテナ１９を介し無線タグＴcへ送信し、その無線タグ回路素子ＴcのＩＣ回路部１５１に書き込む。すなわち、制御回路３０が「Program」コマンドを信号処理回路２２に出力し、信号処理回路２２で上記アクセス履歴情報としての「Program」信号が生成されて高周波回路２１を介し無線タグ回路素子Ｔcに送信され、そのメモリ部１５７に情報が書き込まれる。
【０１２１】
以上のルーチンにより、カートリッジ１００内のアクセス対象の無線タグ回路素子Ｔoに対し、ＩＣ回路部１５１に所望の無線タグ情報を書き込みことができ、またそのときのアクセス履歴を無線タグ回路素子Ｔcに書き込み記憶保持させることができる。
【０１２２】
図１４は、本変形例において上記のようにして無線タグ回路素子Ｔcに書き込まれるアクセス履歴情報の一例を表す図であり、上記実施形態において前述した図１１に相当する図である。なお、図１３に示した上記初期化におけるリトライ回数Ｍは図示省略している。
【０１２３】
図１４において、図１１と同様、「タグＩＤ」の欄には、各無線タグ回路素子Ｔoの識別情報がこの例では「タグ１」,「タグ２」,…のように記録される。
【０１２４】
「書き込みリトライ回数」及び「書き込み成否」の欄は、各無線タグ回路素子Ｔoへの上記アクセス（上記の例では書き込み）時に最終的にアクセスが成功したかどうか（成功ならＯＫ、失敗ならＮＧ）、及び成功するまでの上記リトライ回数Ｎ（すなわちＮ＝１〜５のいずれか）の値が記録されている。Ｎ＝５回でもアクセス不可能であれば「−」で表され、アクセス不可として「ＮＧ」となっている。
【０１２５】
「装置側識別情報」の欄は、図１１と同様であるので説明を省略する。
【０１２６】
以上のように、本変形例においては、無線タグ情報の書き込みを行う無線タグ生成システムにおいて、上記実施形態とほぼ同様の効果を得る。
【０１２７】
（２）アクセス履歴情報のバリエーション
以上においては、各無線タグ回路素子Ｔoへのアクセス履歴情報として、図１１及び図１４を用いて説明したように、記憶手段に記憶したリトライ回数Ｎ又はＭし、各無線タグ回路素子の識別情報（タグＩＤ）と、無線タグ情報通信装置２の識別情報（製品番号あるいは型番等）を無線タグ回路素子Ｔcへ記憶保持させる場合を例にとって説明したが、これらだけに限られず、他のアクセス履歴に係わる情報、例えば、アクセス時の出力情報、（リサイクル再使用を前提として）カートリッジの使用（リユース）回数を記憶させるようにしても良い。あるいは以上の中のいずれか１つでもよい。
【０１２８】
図１５及び図１６は、前述した実施形態の図１１及び変形例の図１４にそれぞれ対応するものであり、アクセス時に上記可変送信アンプ３９による送信出力パワーが可変とされるときに、他のアクセス履歴情報としてそのアクセス成功時のパワー値（この例では相対値「大」「中」「小」の３段階設定）を併せて記憶した場合を示している。なお、出力パワーは操作者（ユーザ）が適宜手動操作する場合に単にそのときの手動設定値をアクセス履歴情報としてもよいし、（詳細な説明は省略するが）制御回路３０によってアクセスが成功するまでリトライのたびに徐々に送信出力が増大するような制御がなされ、はじめてアクセスが成功した時の値をアクセス履歴情報として記憶しても良い。
【０１２９】
（３）アクセス履歴情報を無線タグ回路素子以外の記憶手段に記憶させる場合
以上においては、アクセス履歴情報を、カートリッジ１００に設けた無線タグ回路素子Ｔcに記憶させたが、これに限られず、他の記憶手段でも良い。このとき、いわゆるＥＥＰＲＯＭやＦＲＡＭのような不揮発性記憶手段を用いることもできる。この場合、電源オフ時にも記憶内容を保持できるため、メーカ又はサービス会社等の側で後にアクセス履歴情報をより確実に取得することができ、性能保証及び品質保証に万全を期すことができる。
【０１３０】
（４）貼り合わせを行わない場合
すなわち、上記実施形態のように、無線タグ回路素子Ｔoを備えたタグテープ（基材テープ）１０１とは別のカバーフィルム１０３に印字を行ってこれらを貼り合わせるのではなく、タグテープ自体に印字を行うタグラベル作成装置用カートリッジに本発明を適用した場合である。
【０１３１】
図１７は、この変形例のカートリッジ１００′の詳細構造を説明するための説明図であり、前述の図３に対応する図である。図３と同等の部分には同一の符号を付し、適宜説明を省略する。
【０１３２】
図１７において、カートリッジ１００′は、感熱テープ１０１′（タグテープ）が巻回された第１ロール（タグテープロール）１０２′と、この感熱テープ１０１′をカートリッジ１００′外部方向にテープ送りをするテープ送りローラ１０７′とを有している。
【０１３３】
第１ロール１０２′は、リール部材１０２ａ′の周りに、長手方向に複数の上記無線タグ回路素子Ｔoが順次形成された帯状の透明な上記感熱テープ１０１′を巻回している。
【０１３４】
第１ロール１０２′に巻き回される感熱テープ１０１′はこの例では３層構造となっており（図１７中部分拡大図参照）、外側に巻かれる側よりその反対側へ向かって、テープ基材１０１ａ′、適宜の粘着材からなる粘着層１０１ｂ′、剥離紙１０１ｃ′の順序で積層され構成されている。
【０１３５】
テープ基材１０１′ａの裏側には、情報を記憶するＩＣ回路部１５１が一体的に設けられており、テープ基材１０１′ａの裏側の表面には上記アンテナ１５２が形成されている。テープ基材１０１′ａの裏側には、上記粘着層１０１ｂ′によって上記剥離紙１０１ｃ′がテープ基材１０１′ａに接着されている。
【０１３６】
カートリッジ１００′が上記無線タグ情報通信装置２のカートリッジホルダ部に装着されローラホルダ（図示せず）が離反位置から当接位置に移動されると、感熱テープ１０１′が印字ヘッド１０とプラテンローラ１０８との間に狭持されるとともに、テープ送りローラ１０７′とサブローラ１０９との間に狭持される。そして、カートリッジ用モータ２３（図２参照）の駆動力によるテープ送りローラ駆動軸１２の駆動に伴い、テープ送りローラ１０７′、サブローラ１０９、及びプラテンローラ１０８が同期して回転し、第１ロール１０２′から感熱テープ１０１′が繰り出される。
【０１３７】
この繰り出された感熱テープ１０１′は、搬送方向下流側の印字ヘッド１０へと供給される。印字ヘッド１０は、その複数の発熱素子が上記印刷駆動回路２５（図２参照）により通電され、これにより感熱テープ１０１′のテープ基材１０１ａ′の表面に印字が印刷され、印字済タグラベル用テープ１１０′として形成された後、カートリッジ１００′外へと搬出される。なお、前述の実施形態のようなインクリボンを用いた印字としてもよいことは言うまででもない。
【０１３８】
カートリッジ１００′外へ搬出した後、前述のアンテナ１４を介した無線タグ情報へのアクセス（情報読み取り／書き込み）が行われ、上記実施形態と同様にしてそのときのアクセス履歴情報がアンテナ１９を介しカートリッジ１００′に設けた無線タグ回路素子Ｔcに送信されて記憶される。その後、送出ローラ１７による搬送、カッタ１５による切断等については上記実施形態と同様であるので説明を省略する。
【０１３９】
本変形例においても、上記実施形態と同様、カートリッジ１００′に設けた無線タグ回路素子Ｔcのアクセス履歴情報をメーカ又はサービス会社等の側で取得することで、無線タグ情報通信装置２の性能保証及びこれにより生産される無線タグラベルＴの品質保証に万全を期し、信頼性を向上できる等の効果を得る。
【０１４０】
なお、上記のテープ基材１０１′ａに代えて、前述のカバーフィルム１０３と同様、ＰＥＴ（ポリエチレンテレフタラート）等から成るカバーフィルム１０１′ａを備えた感熱テープ（タグテープ）を用いてもよい。
【０１４１】
（５）アクセス履歴情報をラベルに印字
すなわち、上記のようにして無線タグ回路素子Ｔcに記憶格納するアクセス履歴情報を、視覚的にも明確化するために、生成するタグラベルＴそのものに印字ヘッド１０により印字するようにしても良い。
【０１４２】
その場合、各ラベルＴごとに印字しても良いが、メーカ又はサービス会社側への情報取得（回収）の面に配慮し、カートリッジ１００（又は１００′；以下同様）の所定枚数の全無線タグ回路素子Ｔoを使用し終わった後、最後に残るラベルＴ（無線タグ回路素子Ｔoは存在してもしなくても良い）に印字するようにすると便利である。
【０１４３】
図１８は、そのように最後に無線タグ情報通信装置２より排出されるラベルＴLにアクセス履歴情報（この例では先に図１１に示した内容）が印字された場合を表す図である。
【０１４４】
図１９は、この変形例において制御回路３０が実行する制御フローを表す図であり、前述の図９に対応する図である。図９と同等の手順には同一の符号を付し、適宜説明を省略又は簡略化する。
【０１４５】
図１９において、図９と異なるのは、まずステップＳ１０５の前にステップＳ１０２が設けられたことである。このステップＳ１０２では、この変形例によるアクセス履歴情報を印字する最終ラベルＴより前の、通常のユーザ用無線タグ回路素子Ｔoを含むタグラベルＴを作成するためのテープ長さが終了したかどうかを判定する。この判定は、例えば以下のような手法が考えられる。
【０１４６】
(a)基材テープ切れ検出
予め基材テープ１０１よりも１枚のラベルＴ分カバーフィルム１０３が長いように設定されており、第１ロール１０２から基材テープ１０１が繰り出されなくなった（あるいは基材テープとして有効なテープ部分ではなくなった）ことを適宜のセンサ等で検出する。この場合、アクセス履歴情報は残余のカバーフィルム１０３に印字し、カバーフィルムのみによって最後のラベルＴLが作成される。
【０１４７】
(b)タグ切れ検出
あるいは、基材テープ１０１の最後部分には無線タグ回路素子Ｔoを配置しないようにしておき、その非配置部分となったことを適宜のセンサ等で検出する。この場合、その無線タグ回路素子Ｔoを含まない基材テープ１０１とカバーフィルム１０３とが貼り合わされて最後のラベルＴLが作成される。
【０１４８】
以上のようなステップＳ１０２の判定が満たされたら、ステップＳ１７０に移る。ステップＳ１７０では、ステップＳ１１５と同様、テープ搬送を開始しつつこれまでにカートリッジ１００の無線タグ回路素子Ｔcに記録したアクセス履歴情報の内容を印字ヘッド１０により図１８に示したようにカバーフィルム１０３に印字し、さらに送出ローラ１７によって搬出口１６より装置２外へ排出する。ステップＳ１７０が終了したら、このフローを終了する。
【０１４９】
ステップＳ１０２の判定が満たされない場合、前述と同様のステップＳ１０５〜ステップＳ１５５によって通常の無線タグ回路素子Ｔoへのアクセス、印字、切断等を行い、ステップＳ１５５の終了後ステップＳ１６０へ移る。ステップＳ１６０では、上記ステップＳ１０２と同様、通常のユーザ用無線タグ回路素子Ｔoを含むタグラベルＴを作成するためのテープ長さが終了したかどうかの判定を行う。判定が満たされない場合はそのままこのフローを終了し、判定が満たされたら上記ステップＳ１７０に移って上述の手順を行った後、このフローを終了する。
【０１５０】
以上のようにして、最後に無線タグ情報通信装置２より排出されるラベルＴLにアクセス履歴情報を印字することができる。
【０１５１】
なお、上記のように基材テープ１０１に無線タグ回路素子Ｔoのない部分を設けるのでなく、(c)最後の無線タグ回路素子Ｔoをアクセス履歴情報の書き込む用に積極的に利用する；ようにしても良い。この場合は、上記ステップＳ１０２やステップＳ１７０では、無線タグ回路素子Ｔoが残り１つになったことを検出する。具体的には、基材テープ１０１の最後の無線タグ回路素子Ｔoに対応する位置（又はこれに対応するカバーフィルム１０３の位置）に特定の識別子を形成しておき、これを適宜のセンサ等で検出するようにすればよい。この場合、最後の無線タグ回路素子Ｔoはそれまでのものとは異なり、通常のユーザ用の情報アクセスは行われず、カートリッジ１００の無線タグ回路素子Ｔcと同様、アクセス履歴情報が書き込まれ、これを含む最後のラベルＴLが生成される。
【０１５２】
本変形例によれば、カートリッジ１００の無線タグ回路素子Ｔcにアクセス履歴情報が書き込まれることによる前述の効果に加え、さらにアクセス履歴情報を視覚的にも明らかな形で記録できるという効果を得る。
【０１５３】
（６）ユーザサービスへの拡張
すなわち、上記（５）のアクセス履歴情報の視覚的記録にとどまらず、最終ラベルＴLに行う印字をユーザサービスへ積極的に活用するようにしてもよい。
【０１５４】
図２０は、そのような変形例を表す図であり、前述の図１８に相当する図である。この例では、最終ラベルＴLの印字として、図１８と同様にアクセス履歴情報を最下部に印字するとともに、その上部には、ユーザへのお知らせ（割引サービス情報；いわゆるクーポン券）を印字している。この例のサービスとしては、前述したユーザ誤操作等により無線タグ回路素子Ｔoへのアクセス不可・不良が発生した枚数に応じ、その補償として次回カートリッジ購入分からその分の価格を割り引く内容となっている。
【０１５５】
このようなサービス情報を印字することで、カートリッジ１００及びラベルＴをメーカ又はサービス会社側等（図示の例では特約店又は電器店）へ持参しようという動機付けをより強く与えることができるので、それだけメーカ又はサービス会社側におけるアクセス履歴情報の取得及び回収確率を高めることができる。
【０１５６】
なおこのように、アクセス履歴情報自体が最終ラベルＴLに印字されているのであれば、無線タグ回路素子Ｔcを備えたカートリッジ１００の有無によらず、ラベルＴLによりアクセス履歴情報を回収できるというメリットもある。また前述の変形例（５）の(c)で説明したようにカートリッジ１００の無線タグ回路素子Ｔcに加え最終ラベルＴLの無線タグ回路素子Ｔoにもアクセス履歴情報を記憶させた場合は、上記のようにカートリッジ１００の有無によらず、その無線タグ回路素子Ｔoより電子情報としてアクセス履歴情報を得ることも可能である。
【０１５７】
また逆に、ユーザがカートリッジ１００を持参することを前提とする場合、あるいはそうでなくても上記最終ラベルＴLの無線タグ回路素子Ｔoにもアクセス履歴情報を記憶させた場合は、必ずしも図２０のようにアクセス履歴情報とサービス情報との両方を印字する必要はなく、ユーザサービス情報のみを印字するようにしても良い。
【０１５８】
（７）その他
(A)アクセス履歴情報の書き込み頻度
以上のように各無線タグ回路素子Ｔoへのアクセス時ごとに毎回無線タグ回路素子Ｔcへのアクセス履歴情報の書き込み記録を行うのに限られず、複数個ごと、あるいは操作者側の適宜の操作時に書き込みを行うようにしてもよい。
【０１５９】
(B)カッタ切断を行わない場合
以上においては、印字及び無線タグ回路素子Ｔoへのアクセス（読み取り又は書き込み）の終了した印字済みタグラベル用テープ１１０をカッタ１５で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良い。
【０１６０】
なお以上で用いた「Scroll
All ID」信号、「Erase」信号、「Verify」信号、「Program」信号等は、ＥＰＣ  ｇｌｏｂａｌが策定したＡｕｔｏ−ＩＤ仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１６１】
その他、一々例示はしないが、本発明は、その趣旨を逸脱しない範囲内において、種々の変更が加えられて実施されるものである。
【図面の簡単な説明】
【０１６２】
【図１】本発明の一実施形態のタグラベル作成装置が適用される無線タグ生成システムを表すシステム構成図である。
【図２】無線タグ情報通信装置の詳細構造を表す概念的構成図である。
【図３】カートリッジの詳細構造を説明するための説明図である。
【図４】高周波回路の詳細機能を表す機能ブロック図である。
【図５】無線タグ回路素子の機能的構成を表す機能ブロック図である。
【図６】無線タグラベルの外観の一例を表す上面図及び下面図である。
【図７】図６中VII−VII′断面による横断面図である。
【図８】無線タグ情報へのアクセスに際して、端末又は汎用コンピュータに表示される画面の一例を表す図である。
【図９】制御回路によって実行される制御手順を表すフローチャートである。
【図１０】図９に示したステップＳ２００の詳細手順を表すフローチャートである。
【図１１】無線タグ回路素子に書き込まれるアクセス履歴情報の一例を表す図である。
【図１２】無線タグ回路素子に情報書き込みを行う変形例における制御回路で実行する無線タグラベルの作成手順を表すフローチャートである。
【図１３】図１２に示したステップＳ２００Ａの詳細手順を表すフローチャートである。
【図１４】無線タグ回路素子に書き込まれるアクセス履歴情報の一例を表す図である。
【図１５】アクセス履歴情報としてアクセス成功時のパワー値を併せて記憶した場合の一例を示した図である。
【図１６】アクセス履歴情報としてアクセス成功時のパワー値を併せて記憶した場合の他の例を示した図である。
【図１７】貼り合わせを行わない変形例のカートリッジの詳細構造を説明するための説明図である。
【図１８】アクセス履歴情報をラベルに印字する変形例において、最後に無線タグ情報通信装置より排出されるラベルにアクセス履歴情報が印字された場合を表す図である。
【図１９】制御回路が実行する制御フローを表す図である。
【図２０】ユーザサービスへの拡張を行う変形例を表す図である。
【符号の説明】
【０１６３】
２                    無線タグ情報通信装置
１０                  印字ヘッド（印字手段）
１４                  アンテナ（装置側アンテナ）
１９                  アンテナ（書き込み手段）
２２                  信号処理回路（アクセス情報生成手段；書き込み手段）
３２                  送信部（情報送信手段；書き込み手段）
１００                カートリッジ
１００′              カートリッジ
１０１                基材テープ（タグテープ）
１０１′              感熱テープ（タグテープ）
１０２                第１ロール（タグテープロール）
１０２′              第１ロール（タグテープロール）
１０３                カバーフィルム（被印字テープ）
１５１                ＩＣ回路部
１５２                アンテナ（タグ側アンテナ）
Ｔc                   無線タグ回路素子Ｔc（アクセス履歴情報記憶手段）
Ｔo                   無線タグ回路素子（ユーザ用無線タグ回路素子）
【図１】
2006099203.tif 000003
【図２】
2006099203.tif 000004
【図３】
2006099203.tif 000005
【図４】
2006099203.tif 000006
【図５】
2006099203.tif 000007
【図６】
2006099203.tif 000008
【図７】
2006099203.tif 000009
【図８】
2006099203.tif 000010
【図９】
2006099203.tif 000011
【図１０】
2006099203.tif 000012
【図１１】
2006099203.tif 000013
【図１２】
2006099203.tif 000014
【図１３】
2006099203.tif 000015
【図１４】
2006099203.tif 000016
【図１５】
2006099203.tif 000017
【図１６】
2006099203.tif 000018
【図１７】
2006099203.tif 000019
【図１８】
2006099203.tif 000020
【図１９】
2006099203.tif 000021
【図２０】
2006099203.tif 000022